(57)【特許請求の範囲】
【請求項１】
固形異物やシート状異物などを含む水に用いられる配管路に設置される流水中の異物を除去する装置において、流水中の異物を捕捉するスクリーンと、回転軸に回転可能に支持されるとともに前記スクリーンに対向して半径方向に延び、その回転移動により前記スクリーンに付着する異物を機械的に掻き取る掻取ブレードと、前記スクリーンを横切って前記掻取ブレードと同じ半径方向に延び、掻き取られた異物を前記スクリーンから除去する樋と、前記樋に接続され前記樋内の異物を系外に排出する異物排出管を備えることを特徴とする流水中の異物を除去する装置。
【請求項２】
固形異物やシート状異物などを含む水に用いられる配管路に設置される流水中の異物を除去する装置において、流水中の異物を捕捉するスクリーンと、回転軸に回転可能に支持されるとともに前記スクリーンに対向して半径方向に延び、その回転移動により前記スクリーンに付着する異物を機械的に掻き取る掻取ブレードと、前記スクリーンを横切って前記掻取ブレードと同じ半径方向に延び、掻き取られた異物を前記スクリーンから除去する樋と、前記樋に接続され前記樋内の異物を系外に排出する異物排出管と、前記掻取ブレードの進行方向へ延びるように前記掻取ブレードへ取り付けられ、渦流を発生する渦流発生部材とを備え、前記スクリーンの付着異物を渦流により剥離させることを特徴とする流水中の異物を除去する装置。
【発明の詳細な説明】
【０００１】
【発明の属する技術分野】
本発明は復水器や冷却器などの冷却水入口配管や下水配管などに設置し、流水中の固形異物やシート状異物などを除去するための流水中の異物を除去する装置、特にスクリーン上に付着した異物を掻取ブレードにより機械的に除去し、系外に排出する流水中の異物を除去する装置に関する。
【０００２】
【従来の技術】
従来一般に知られているこの種の異物除去装置は、例えば特開平６−１５１２０号に記載されている。この装置は、先端で接続して山形を形成する回動可能な濾過部材、第１段フラップ、第２段フラップ、異物排出管を配管胴体内に配置したものであり、この濾過部材の前面に付着した異物を第１段フラップの作動によって、第２段フラップの下流側に流下させる。
【０００３】
その後、第２段フラップを作動することにより、第２段フラップによって濾過部材の一部で表面からの流れが遮閉され、この部分の濾過部材では異物排出口に向かって濾過部材の後面からの流れが発生し、異物が逆洗流によって排出管へ送られ系外へ排出される。
【０００４】
【発明が解決しようとする課題】
この様な従来の異物除去装置は、濾過部材上に付着した異物をフラップの作動により剥離させ、異物排出管の出口へ導くためにフラップを多段に配置して選択的に作動させる構成となっている。このため、可動部が多く、フラップに駆動装置が必要であるので、機構的に複雑であり、コストダウンが図りにくかった。
【０００５】
また、付着異物の剥離に逆洗流を使用しているため、濾過部材に挟まった異物は取れにくかった。従って、本発明の目的は、機構的に簡素であるとともに安価であり、かつ、異物除去性能の高い流水中の異物を除去する装置を提供することである。
【０００６】
【課題を解決するための手段】
本発明は、固形異物やシート状異物などを含む水に用いられる配管路に設置される流水中の異物を除去する装置において、流水中の異物を捕捉するスクリーンと、前記スクリーン上に付着した異物を機械的に掻き取る掻取ブレードと、前記掻取ブレードの移動方向と交叉する方向に延び、掻き取られた異物を前記スクリーン上から除去する樋と、前記樋に接続され、前記樋内の異物を系外に排出する異物排出管とを備えたものである。
【０００７】
これにより簡素な構成で安価で、かつ、確実な異物排出を可能とする。また、渦流発生部材を掻取ブレードに取り付けることにより、掻取ブレードの進行方向近傍のスクリーン上に渦流を発生させ、付着異物をスクリーン上から剥離させながら確実に掻き取ると共に樋上において樋内の異物を渦流により異物排出管まで速やかに移動させることを可能とする。
【０００８】
【発明の実施の形態】
本発明装置の実施の形態を図１〜図３に示す。図１は、本発明の流水中の異物除去装置の構造を示す縦断面図、図２は、上流側から見た図、図３は掻取ブレードの詳細例を示す図である。流水中異物除去装置は、胴体１、スクリーン２、掻取ブレード３、樋４、異物排出管５、仕切弁６、差圧検出器７等から構成される。
【０００９】
スクリーン２は、リング状の平面形をしており胴体１に固定され、径方向に延びる樋４が取り付けられている。中心には異物排出管５の入口側が樋４と接続されており、また、掻取ブレード３の回転軸１１を支持する軸受１２が取り付けられている。
【００１０】
スクリーン２は、対象異物の種類により格子状スクリーンとしてもよい。樋４は、半径方向に延びているのに対して、掻取ブレード３の移動方向は円周方向であり、従って両者は交叉している。これによりブレード３により掻き取られた異物は円滑に樋４に集められる。
【００１１】
スクリーン２の下流側には、径方向に補強板が取り付けられているが図示を省略している。掻取ブレード３は回転軸１１に取り付けられ、異物排出管５に取り付けられた軸受１２と、掻取ブレード３の上流側に胴体１からリブ１８を介して取り付けられた軸受１３とにより支持され、回転軸１１を中心に回転する。尚、図２においてはリブ１８の図示は省略している。
【００１２】
掻取ブレード３の回転は、掻取ブレード回転用歯１４、駆動用歯１５、駆動軸１６、モータなどの駆動装置１７により行われる。
【００１３】
回転速度は任意に設定できるが、通常１回転／分程度としている。回転方向の一例を矢印２１により示す。掻取ブレード３は複数個取り付けることができ、それぞれ掻き取った異物は樋４の溝に確実に落とされる。樋４は、スクリーン２の径方向に延びるように設けられ、落とされた異物の移動を容易にするため異物排出管５に向うにしたがい深さが深くなっている。
【００１４】
掻取ブレード３により掻き取られ、樋４に落とされた異物は、案内流により異物排出管５に導かれ、仕切弁６を通過して系外に排出される。尚、一般的な運転方法としては、スクリーン２の前後差圧を差圧検出器７により監視し、異物付着により、ある設定値以上になった場合に掻取ブレード３を回転させると共に仕切弁６を開き異物排出を行う。異物排出は、通常、差圧がある設定値以下になった時点で終了するが、タイマ等による時間設定でもよい。また、異物の流入量によっては、常時仕切弁６を開き、掻取ブレード３を連続回転して常時排出運転を行ってもよい。
【００１５】
図３に詳細に示すように、掻取ブレード３に設けられた爪３２は、スクリーン２のリングの隙間に入り込む形状をしており、スクリーン２上の固形異物を確実に掻き取ると共にそれに張り付いたビニール等のシート状異物も容易に掻き取ることができる。掻取ブレード３の材質としては金属、樹脂、ゴム等の弾性体、または、これらの組み合わせが選択できる。
【００１６】
図４、図５は本発明の他の実施の形態を示したもので、スクリーン２をリング状の円錐形とすることにより、異物捕捉面積を大きくすることができ、異物付着時の差圧上昇を小さくすることができる。
【００１７】
図６、図７は本発明の他の実施の形態を示したもので、異物排出管５と樋４との接続位置を胴体１側にしたものである。尚、この実施の形態では異物排出管５は２箇所となっているが、樋４をひとつとし片側の１箇所としてもよいし、逆に２箇所以上としてもよい。この実施の形態は異物排出管５の入口側を配管中央に持つ前記実施の形態と比較し、曲がり管部が不要となるため胴長を短くでき、更にコスト低減が図れるという特長がある。また、曲がり管部がないため異物排出管５及び樋４の清掃が容易に実施できる。
【００１８】
図８〜図１１は本発明の他の実施の形態を示したもので、掻取ブレード３に渦流発生部材８を取り付けたものである。図１０は渦流発生部材８の詳細例を示した図、図１１は渦流による異物剥離の状態を示した図である。掻取ブレード３は前記実施の形態と同様回転軸１１を中心にスクリーン２上の異物を掻き取りながら回転するが、渦流発生部材８の効果により異物２２はスクリーン２上から浮き上がりながら掻き取られるため異物２２のスクリーン２面への残留がなく、完全な異物除去が可能となる。
【００１９】
また、掻取ブレード３が樋４上に来た時には樋４内に渦流が発生し、樋４内の落下異物を速やかに異物排出管５へ導く効果も備えている。図１０に渦流発生部材８の詳細例を示しているが、掻取ブレード３の近傍で渦流が発生するものであれば如何なる形状でもよい。勿論、掻取ブレード３と一体構造としてもよい。また、図１１に渦流による異物２２の剥離の状態を示すが、図に示す様に掻取ブレード３の進行方向で異物２２が浮き上がるため掻き取りが容易になり、残留異物のない確実な異物排出を行うことができる。
【００２０】
以上のように本発明によれば、スクリーン上に付着した異物を機械的に掻取ブレードにより確実に掻き取り除去することができ、簡素な構成で確実な異物排出が達成できる。
【００２１】
【発明の効果】
以上説明してきたように流水中の異物を除去する装置において、流水中に存在する異物をスクリーンで捕捉し、この異物を掻取ブレードで機械的に確実に樋に向かって掻き落とし、樋に連接した異物排出管から系外に排出するので、機構的に簡素で安価で、異物除去性能の高い流水中異物除去装置が提供できる。
【図面の簡単な説明】
【図１】本発明の流水中異物除去装置の一実施例を示す縦断面図である。
【図２】図１を上流側から見た図である。
【図３】図１、図２の掻取ブレードの詳細例を示す図である。
【図４】本発明の流水中異物除去装置の他の実施例を示す縦断面図である。
【図５】図４を上流側から見た図である。
【図６】本発明の流水中異物除去装置の他の実施例を示す縦断面図である。
【図７】図６を上流側から見た図である。
【図８】本発明の流水中異物除去装置の他の実施例を示す縦断面図である。
【図９】図８を上流側から見た図である。
【図１０】図８、図９の渦流発生部材の詳細例を示す図である。
【図１１】渦流による異物剥離の状態を示す図である。
【符号の説明】
１…胴体、２…スクリーン、３…掻取ブレード、４…樋、５…異物排出管、６…仕切弁、７…差圧検出器、８…渦流発生部材、１１…回転軸、１２…軸受、１３…軸受、１４…掻取ブレード回転用歯、１５…駆動用歯、１６…駆動軸、１７…駆動装置、１８…リブ、２１…回転方向を示す矢印、２２…異物。
【図１】
0003615128.tif 000002
【図２】
0003615128.tif 000003
【図３】
0003615128.tif 000004
【図４】
0003615128.tif 000005
【図５】
0003615128.tif 000006
【図６】
0003615128.tif 000007
【図７】
0003615128.tif 000008
【図８】
0003615128.tif 000009
【図９】
0003615128.tif 000010
【図１０】
0003615128.tif 000011
【図１１】
0003615128.tif 000012